(57)【要約】【課題】処理槽内を十分撹拌でき、生ゴミを破砕する作用をも備えた生ゴミ処理装置を提供すること。【解決手段】生ゴミを分解して処理する処理部と、分解処理された処理物を回収する回収部と、処理部或いは回収部からの臭気を脱臭して排気する脱臭排気部とを備え、生ゴミを収容する処理部の処理槽に回転撹拌爪を具備した生ゴミ処理装置において、処理槽の底部に、複数の回転軸を立設し、それらの回転軸に撹拌爪を、互いの撹拌爪が干渉することなく接近する形態で設ける。撹拌爪の端部に突起体を、撹拌爪の回転時に処理槽の側部に接近する形態で設けてもよい。各回転軸の回転方向を、独立に正逆設定可能にし、各回転軸の回転速度を、独立に遅速設定可能にしてもよい。【選択図】  図１
2004283698.tif 000002
【特許請求の範囲】
【請求項１】
生ゴミを分解して処理する処理部と、分解処理された処理物を回収する回収部と、処理部或いは回収部からの臭気を脱臭して排気する脱臭排気部とを備え、生ゴミを収容する処理部の処理槽に回転撹拌爪を具備した生ゴミ処理装置において、
処理槽の底部に、複数の回転軸を立設し、それらの回転軸に撹拌爪を、互いの撹拌爪が干渉することなく接近する形態で設けたことを特徴とする生ゴミ処理装置。
【請求項２】
撹拌爪の端部に突起体を、撹拌爪の回転時に処理槽の側部に接近する形態で設けた請求項１に記載の生ゴミ処理装置。
【請求項３】
各回転軸の回転方向を、独立に正逆設定可能である請求項１または２に記載の生ゴミ処理装置。
【請求項４】
各回転軸の回転速度を、独立に遅速設定可能である請求項１ないし３に記載の生ゴミ処理装置。
【発明の詳細な説明】
【０００１】
【発明の属する技術分野】
本発明は、処理槽に投入された生ゴミを分解処理する生ゴミ処理装置において、生ゴミを撹拌する形態に関する。
【０００２】
【従来の技術】
従来の生ゴミ処理装置としては、例えば、生ゴミを発酵や乾燥処理するための処理部と、処理後の最終残渣物を回収するための回収部と、処理部或いは回収部からの臭気を脱臭して排気する脱臭排気部とを備えたものがある。
【０００３】
その分解処理には、主に微生物によるものと乾燥によるものとがある。
特に、生分解に用いられる微生物は、一般に好気性であり、空気中の酸素の存在下によって有機物を分解する。そのため、収容物の撹拌は、微生物が有機物を分解するのに必要な酸素を微生物に供給する役割を果たす。
また、一般に生ゴミの大部分は水であるので、分解に際して水分を処理槽の外部に放出させる必要がある。そのために、処理槽の上部の空気を排出するための排気ファンが取り付けられているが、これだけでは、処理槽内における収容物の深部の水分まで放出させることは困難である。そのためにも、収容物を適度に撹拌して深部の収容物を上部に出し、その水分の放出効率を上げる必要がある。
すなわち、この種の生ゴミ処理装置における撹拌には、微生物への酸素供給や、水分放出の役割があり、撹拌は生ゴミ処理装置には必須の機能となっている。
【０００４】
このような生ゴミ処理装置は、従来では、撹拌部材としては、軸がほぼ水平方向に配向された横軸形のものが一般的であった。
横軸形の撹拌部材の場合、軸の両端部にそれぞれ軸受が必要で、構造が複雑となる。また、投入された生ゴミを槽内で分散させるためには、処理槽の底部から処理槽の上部にまでわたる大きな撹拌爪が必要である。大きな撹拌爪を付けると、撹拌抵抗が大きくなり、大きなトルクのモータが必要となる。
【０００５】
【特許文献１】
縦軸型の撹拌部材を備えた生ゴミ処理装置は、特開２００２−２６３６２０号などに開示されている。
しかし、従来の撹拌部材は、撹拌爪を備えた回転軸が１体なので、生ゴミを積極的に破砕したり、処理槽の側壁近くまで撹拌する作用は十分ではなかった。
【０００６】
【発明が解決しようとする課題】
そこで、本発明は、処理槽内を十分撹拌でき、生ゴミを破砕する作用をも備えた生ゴミ処理装置を提供することを課題とする。
【０００７】
【課題を解決するための手段】
上記課題を解決達成するために、本発明の生ゴミ処理装置は次の構成を備える。
すなわち、生ゴミを分解して処理する処理部と、分解処理された処理物を回収する回収部と、処理部或いは回収部からの臭気を脱臭して排気する脱臭排気部とを備え、生ゴミを収容する処理部の処理槽に回転撹拌爪を具備した生ゴミ処理装置において、処理槽の底部に、複数の回転軸を立設し、それらの回転軸に撹拌爪を、互いの撹拌爪が干渉することなく接近する形態で設けることを特徴とする。
【０００８】
ここで、撹拌爪の端部に突起体を、撹拌爪の回転時に処理槽の側部に接近する形態で設けてもよい。
【０００９】
また、各回転軸の回転方向を、独立に正逆設定可能にしてもよい。
【００１０】
各回転軸の回転速度を、独立に遅速設定可能にしてもよい。
【００１１】
【発明の実施の形態】
以下に、本発明の実施形態を図面を基に説明する。
図１及び２は、本発明装置の概要を示す正面断面図及び平面断面図である。
処理槽（１０）は、上部が開口した略円筒形であり、その上部には蓋体（２０）が回動自在に装着されている。蓋体（３０）の跳ね上げによって、処理槽（１０）の上面開口部と連通する投入口（３１）が形成される。蓋体（３０）の上面の前部には、操作スイッチや表示部を有する操作パネルが設けられている。
【００１２】
処理槽（１０）の側壁（１１）の上部には、吸気口（１２）と排気口（１３）が開口して外部と連通している。
吸気口（１２）には外気を取り込む吸気ファン（１４）が付設され、排気口（１３）には、フィルター（１５）の備わった排気ファン（１６）と、排気に含まれる臭気を分解して除去する脱臭装置（１７）とが付設される。
【００１３】
処理槽（１０）の底部には、撹拌部材が回転自在に設けられている。
処理槽（１０）底部に、複数の回転軸（２１）が貫通して立設される。回転軸（２１）は、処理槽（１０）底部の下に設けられたモーター（２２）に連動連結される。回転軸（２１）とモータ（２２）の駆動軸との間には、歯車から成る減速機構が介在し、回転軸（２１）の速度が調整される。
【００１４】
生ゴミを処理する場合には、厨房などで発生した生ゴミを、上蓋（３０）を開けて投入口（３１）から処理槽（１０）内に投入する。その際、上蓋（３０）の開閉を検出する蓋スイッチによって、上蓋（３０）が開けられた際には撹拌回転軸（２１）が安全のため停止制御される。
撹拌部材による撹拌は、生ゴミが投入された後、所定時間行われ、その後、所定時間は停止され、その後、再び所定時間行われるというように、間欠的に行われる。
その際、処理槽の裏面に配設されたヒーター（１８）によって、生ゴミは適宜加熱される。この加熱は、生ゴミと一緒に投入された微生物の活性と、処理の進んだ処理物の乾燥とに寄与する。
このようにして、生ゴミは、撹拌され細分化されると共に、一緒に投入された微生物により徐々に分解される。
また、撹拌は、微生物への酸素供給にも寄与している。
生ゴミの処理などに伴って発生した水分は、臭気と共に、脱臭装置（１７）を介して排気口（１３）から外部へ排出される。
【００１５】
ここで、本発明では、処理槽（１０）底部に、２本以上の回転軸（２１）が設けられている。
各回転軸（２１）には、撹拌爪（２３）が取り付けられている。
その各撹拌爪（２３）は、互いの撹拌爪（２３）が干渉することなく接近する形態で設けられる。すなわち、図示の例では、一方の回転軸（２１）に連結された１枚の撹拌爪（２３ａ）と他方の回転軸（２１）に連結された１枚の撹拌爪（２３ｂ）とが、水平方向に重なると共に上下方向には重ならない軌跡を描いている。このように、別の駆動手段に連結された撹拌爪（２３ａ）（２３ｂ）がごく接近するので、その間隙にある生ゴミを破砕する作用を備える。
【００１６】
図示の撹拌爪（２３）は平板状であるが、凹凸を設けたり波状にして屈曲させてもよい。
すると、生ゴミを掬い上げたりして上下方向へ移動させる作用をも果たすので、処理槽（１０）内部を十全に撹拌させることができる。
各回転軸（２１）には、複数の撹拌爪（２３）を取り付けてもよい。
【００１７】
撹拌爪（２３）の端部には、棒状の突起体（２４）が上方に向かって立設されている。突起体（２４）は、撹拌爪（２３）の回転時に、処理槽（１０）の側壁（１１）に接近する形態で設けられる。
これによって、処理槽（１０）の側壁（１１）に付着した処理槽を掻き取ったり、側壁（１１）との間隙にある生ゴミを破砕することができる。
なお、側壁（１１）の形状は、複数の回転軸（２１）の弧を連ねた形状が好ましい。
【００１８】
各回転軸（２１）の回転方向は、独立に正逆設定可能であることが好ましい。逆回転時には、別の回転軸（２１）に連結された撹拌爪（２３ａ）（２３ｂ）が互いに近づく方向に回転するので、その間にある生ゴミを破砕する応力を高めることができる。
【００１９】
各回転軸（２１）の回転速度は、独立に遅速設定可能であることが好ましい。回転速度が異なると、生ゴミの撹拌されるパターンを定常化しないようにできるので、処理槽（１０）内部全体を確実に撹拌することが可能である。
【００２０】
従来の横軸形の撹拌部材の場合には、撹拌爪が当たった部分しか生ゴミが動かないため、処理槽（１０）の底部から上部にわたる大きな撹拌爪が必要であった。それに対し、本発明によれば、撹拌爪（２３）を処理槽（１０）の底部において多軸回転させることで、生ゴミ全体を効率良く撹拌でき、撹拌部材を比較的小さなもので構成することができる。また、従来の撹拌部材の場合には、処理槽（１０）の側壁（１１）付近に、生ゴミがほとんど移動しない滞留部分ができやすく、そこに糸状菌や黴などで固化し、酸素が供給され難くなるために臭気が発生しやすくなっていた。本発明によると、側壁（１１）近くまで十全に撹拌できるので、その危惧も捨象できる。
【００２１】
【発明の効果】
本発明の生ゴミ処理装置は、処理槽の底部に、複数の回転軸に連結された撹拌爪を、互いの撹拌爪が干渉することなく接近する形態で設けたので、生ゴミを破砕できると共に、処理槽内を十分良好に撹拌でき、ひいては生ゴミの分解効率を向上させることが可能である。
【図面の簡単な説明】
【図１】本発明装置の概要を示す正面断面図
【図２】同、平面断面図
【符号の説明】
１１  処理槽側壁
２１  回転軸
２３  撹拌爪
２４  突起体
【図１】
2004283698.tif 000003
【図２】
2004283698.tif 000004